(57)【要約】【課題】光ディスク装置を起動した直後の記録品質を維持し続けることができる光ディスク装置およびその制御方法を提供することを目的とする。【解決手段】コントロール回路１０は、光源２ａの初期発光量を決定した後、その初期発光量を用いて記録品質評価値を算出し、その記録品質評価値を初期記録品質評価値とし、光ディスク１に記録開始後、所定の記録単位を記録する度に記録品質評価値を算出して、所定の記録単位を記録する度に算出した記録品質評価値が、初期記録品質評価値と同一になるように光源の発光量を変更することを特徴とする。【選択図】図１
2010102780.tif 000002
【特許請求の範囲】
【請求項１】
レーザ光を発光する光源と、
前記レーザ光を光ディスクに照射してデータを記録する光ピックアップと、
前記光源の発光量を調整する発光量調整手段と、
前記光ディスクからの反射光を基にＲＦ信号を生成するＲＦ信号生成手段と、
前記ＲＦ信号を基に、記録品質を評価する記録品質評価値を算出する記録品質評価値算出手段と、
光ディスク装置を起動する際に前記発光量調整手段を複数の駆動値で駆動して前記光源の初期発光量を決定する制御手段と、を備え、
前記制御手段は、
前記初期発光量を決定した後、前記初期発光量を用いて前記記録品質評価値を算出し、その記録品質評価値を初期記録品質評価値とし、
前記光ディスクに記録開始後、所定の記録単位を記録する度に記録品質評価値を算出して、前記所定の記録単位を記録する度に算出した前記記録品質評価値が、前記初期記録品質評価値と同一になるように前記光源の発光量を変更することを特徴とする光ディスク装置。
【請求項２】
前記光ディスクの既記録領域を検出する既記録位置検出手段と、
前記既記録位置検出手段の情報を基に前記光ディスクにデータを追記する際の位置を決定する追記位置決定手段と、を有し、
前記制御手段は、
前記光ディスクにデータを追記する際に、前記光ディスクの最内周領域と最外周領域とで前記発光量調整手段を複数の駆動値で駆動し、前記最内周領域に対応する前記光源の第１発光量と前記最外周領域に対応する前記光源の第２発光量とを決定し、
前記第１発光量と前記第２発光量とから、前記光ディスクにデータを追記する位置に対応する第３発光量を算出し、前記第３発光量を前記光ディスクにデータを追記する際の初期発光量とすることを特徴とする請求項１記載の光ディスク装置。
【請求項３】
前記記録品質評価値は、β値であることを特徴とする請求項１または２記載の光ディスク装置。
【請求項４】
光ディスク装置を起動する際に、光ディスクに照射するレーザ光を発光する光源の初期発光量を決定し制御する光ディスク装置の制御方法であって、
前記初期発光量を決定した後、前記初期発光量を用いて記録品質を評価する記録品質評価値を算出し、その記録品質評価値を初期記録品質評価値とし、
前記光ディスクに記録開始後、所定の記録単位を記録する度に記録品質評価値を算出して、前記所定の記録単位を記録する度に算出した前記記録品質評価値が、前記初期記録品質評価値と同一になるように前記光源の発光量を変更することを特徴とする光ディスク装置の制御方法。
【発明の詳細な説明】
【技術分野】
【０００１】
本発明は、光ディスクに情報の記録を行う光ディスク装置およびその制御方法に関するものである。
【背景技術】
【０００２】
光ディスク装置は、装着された光ディスクに最適な記録ができるように光源の発光量を調整している。
【０００３】
従来の光ディスク装置では、レーザ光を発光する光源と、レーザ光を光ディスクに照射してデータを記録する光ピックアップと、光源の発光量を調整する発光量調整回路と、光ディスクからの反射光を基にＲＦ信号を生成するＲＦ信号生成回路と、ＲＦ信号を基にβ値を算出するβ検出回路と、光ディスク装置を起動する際に発光量調整回路を複数の駆動値で駆動して光源の初期発光量を決定し、その初期発光量を維持するように光源の発光量の制御を行う制御回路を設けるという構成で、光源の発光量を決定していた。
【特許文献１】特開２００３−１７３５３２号公報
【発明の開示】
【発明が解決しようとする課題】
【０００４】
しかしながら、上記従来の構成では、光ディスク装置を起動した直後の記録品質を維持し続けることが難しいという問題があった。すなわち、光ディスク装置を長時間使い続けると光ディスク装置内部の温度が上昇し、その温度上昇に伴って光ディスク装置の記録特性が変化するという問題があった。
【０００５】
特に、ブルーレイディスクに対応した薄型の光ディスク装置は、発熱量が高く、また装置の容積が小さいため、その影響が顕著に現れる。
【０００６】
本発明は、上記課題を解決するためになされたものであり、光ディスク装置を起動した直後の記録品質を維持し続けることができる光ディスク装置およびその制御方法を提供することを目的とする。
【課題を解決するための手段】
【０００７】
本発明は上記課題を解決するためになされたものであって、レーザ光を発光する光源と、レーザ光を光ディスクに照射してデータを記録する光ピックアップと、光源の発光量を調整する発光量調整手段と、光ディスクからの反射光を基にＲＦ信号を生成するＲＦ信号生成手段と、ＲＦ信号を基に、記録品質を評価する記録品質評価値を算出する記録品質評価値算出手段と、光ディスク装置を起動する際に発光量調整手段を複数の駆動値で駆動して光源の初期発光量を決定する制御手段と、を備え、制御手段は、初期発光量を決定した後、初期発光量を用いて記録品質評価値を算出し、その記録品質評価値を初期記録品質評価値とし、光ディスクに記録開始後、所定の記録単位を記録する度に記録品質評価値を算出して、所定の記録単位を記録する度に算出した記録品質評価値が、初期記録品質評価値と同一になるように光源の発光量を変更することを特徴とするものである。
【０００８】
また本発明は、光ディスク装置を起動する際に、光ディスクに照射するレーザ光を発光する光源の初期発光量を決定し制御する光ディスク装置の制御方法であって、初期発光量を決定した後、初期発光量を用いて記録品質を評価する記録品質評価値を算出し、その記録品質評価値を初期記録品質評価値とし、光ディスクに記録開始後、所定の記録単位を記録する度に記録品質評価値を算出して、所定の記録単位を記録する度に算出した記録品質評価値が、初期記録品質評価値と同一になるように光源の発光量を変更することを特徴とするものである。
【発明の効果】
【０００９】
本発明は上記構成により、光ディスク装置を長時間使い続けて装置内部の温度が上昇する場合であっても、その温度上昇によって生じる構成素子の特性変化の影響を考慮して光源の発光量を制御するので、光ディスクにデータを記録し続ける際、温度上昇の影響を記録品質に受けさせない。その結果、光ディスク装置を起動した直後の記録品質を維持し続けることができる光ディスク装置およびその制御方法を実現できる。
【発明を実施するための最良の形態】
【００１０】
請求項１記載の発明は、レーザ光を発光する光源と、レーザ光を光ディスクに照射してデータを記録する光ピックアップと、光源の発光量を調整する発光量調整手段と、光ディスクからの反射光を基にＲＦ信号を生成するＲＦ信号生成手段と、ＲＦ信号を基に、記録品質を評価する記録品質評価値を算出する記録品質評価値算出手段と、光ディスク装置を起動する際に発光量調整手段を複数の駆動値で駆動して光源の初期発光量を決定する制御手段と、を備え、制御手段は、初期発光量を決定した後、初期発光量を用いて記録品質評価値を算出し、その記録品質評価値を初期記録品質評価値とし、光ディスクに記録開始後、所定の記録単位を記録する度に記録品質評価値を算出して、所定の記録単位を記録する度に算出した記録品質評価値が、初期記録品質評価値と同一になるように光源の発光量を変更することを特徴とするものである。これにより、光ディスク装置を長時間使い続けて装置内部の温度が上昇する場合であっても、その温度上昇によって生じる構成素子の特性変化の影響を考慮して光源の発光量を制御するので、光ディスクにデータを記録し続ける際、温度上昇の影響を記録品質に受けさせない。その結果、光ディスク装置を起動した直後の記録品質を維持し続けることができる光ディスク装置を実現できる。さらに、同一種類の光ディスクであっても必要な最適光量にばらつきがある場合、初期記録品質評価値を決定する際にそれらのばらつきが考慮されるので、同一種類の光ディスクのおける製造ロット間の相違による最適光量の相違にも対応できる。
【００１１】
請求項２記載の発明は、光ディスクの既記録領域を検出する既記録位置検出手段と、既記録位置検出手段の情報を基に光ディスクにデータを追記する際の位置を決定する追記位置決定手段と、を有し、制御手段は、光ディスクにデータを追記する際に、光ディスクの最内周領域と最外周領域とで発光量調整手段を複数の駆動値で駆動し、最内周領域に対応する光源の第１発光量と最外周領域に対応する光源の第２発光量とを決定し、第１発光量と第２発光量とから、光ディスクにデータを追記する位置に対応する第３発光量を算出し、第３発光量を光ディスクにデータを追記する際の初期発光量とすることを特徴とするものである。これにより、光ディスクの記録領域毎に異なる光源の初期発光量を容易に算出できるので、追記する領域に対応する発光量を正確に決定できる。
【００１２】
請求項３記載の発明は、記録品質評価値が、β値であることを特徴とするものである。これにより、光ディスク装置を長時間使い続けて装置内部の温度が上昇する場合であっても、その温度上昇によって生じる構成素子の特性変化の影響を精度良く考慮して光源の発光量を制御するので、光ディスクにデータを記録し続ける際、温度上昇の影響を記録品質に受けさせない。
【００１３】
請求項４記載の発明は、光ディスク装置を起動する際に、光ディスクに照射するレーザ光を発光する光源の初期発光量を決定し制御する光ディスク装置の制御方法であって、初期発光量を決定した後、初期発光量を用いて記録品質を評価する記録品質評価値を算出し、その記録品質評価値を初期記録品質評価値とし、光ディスクに記録開始後、所定の記録単位を記録する度に記録品質評価値を算出して、所定の記録単位を記録する度に算出した記録品質評価値が、初期記録品質評価値と同一になるように光源の発光量を変更することを特徴とするものである。これにより、光ディスク装置を長時間使い続けて装置内部の温度が上昇する場合であっても、その温度上昇によって生じる構成素子の特性変化の影響を考慮して光源の発光量を制御するので、光ディスクにデータを記録し続ける際、温度上昇の影響を記録品質に受けさせない。その結果、光ディスク装置を起動した直後の記録品質を維持し続けることができる光ディスク装置の制御方法を実現できる。さらに、同一種類の光ディスクであっても必要な最適光量にばらつきがある場合、初期記録品質評価値を決定する際にそれらのばらつきが考慮されるので、同一種類の光ディスクのおける製造ロット間の相違による最適光量の相違にも対応できる。
【００１４】
（実施の形態１）
以下、本発明の実施の形態１について、図面を参照しながら説明する。
【００１５】
図１は、本発明の実施の形態１における記録パワー制御系のブロック図である。図１において、１は光ディスク、２は光ピックアップ、２ａは光源、２ｂは対物レンズ、２ｃは受光部、３はＲＦ再生信号生成回路、４はスピンドルモータ、５はトラバースメカ、６はレーザパワーコントロール回路、７は記録信号回路、８はサーボ制御回路、９はβ検出回路、１０はコントロール回路、１１はサーボ制御信号生成回路、１２はＢＥＲ測定回路、１３はメモリ、１４はピックアップモジュールである。なお、本実施の形態１における光源は光源２ａ、光ピックアップは光ピックアップ２、発光量調整手段はレーザパワーコントロール回路６、ＲＦ信号生成手段はＲＦ再生信号生成回路３、記録品質評価値算出手段はβ検出回路、制御手段はコントロール回路１０に相当する。
【００１６】
ピックアップモジュール１４は、光ディスク１を回転させるスピンドルモータ４と、レーザ光を発光する光源２ａと、光源２ａが発光したレーザ光を光ディスク１に照射して光ディスク１にデータを記録する、もしくはデータを再生する光ピックアップ２と、光ピックアップ２が搭載されたキャリッジを光ディスク１の半径方向に移動させるためのトラバースメカ５とによって構成されたものである。
【００１７】
光ピックアップ２は、レーザ光を発光する光源２ａと、光源２ａが発光したレーザ光を光ディスク１に集光する対物レンズ２ｂと、光ディスク１からの反射光を受光する受光部２ｃとから構成され、受光部２ｃは、光ディスク１からの反射光を受光して電気信号に変換する。
【００１８】
サーボ制御信号生成回路１１は、受光部２ｃからの信号出力を基に、対物レンズ２ｂのフォーカスを制御するフォーカスエラー信号、対物レンズ２ｂのトラッキングを制御するトラッキングエラー信号などのアナログ信号を生成する。そして、生成されたフォーカスエラー信号とトラッキングエラー信号は、サーボ制御回路８に送られる。
【００１９】
サーボ制御回路８は、ＯＮ／ＯＦＦ回路、演算回路、フィルタ回路、増幅回路等によって構成され、送られてきたフォーカスエラー信号とトラッキングエラー信号を基に、光ピックアップ２に設けられた対物レンズ２ｂとキャリッジとの相対的な位置関係を示すレンズ位置信号を生成し、光ピックアップ２に出力する。光ピックアップ２では、その信号を基に光ピックアップ２に備えられた対物レンズ２ｂの位置制御を行う。
【００２０】
ＲＦ再生信号生成回路３は、受光部２ｃからの信号出力を基にＲＦ信号を生成する。そして、生成されたＲＦ信号は、ＢＥＲ測定回路１２とβ検出回路９とＨＯＳＴとに送られる。
【００２１】
ＢＥＲ測定回路１２は、送られてきたＲＦ信号からＢＥＲ（Ｂｙｔｅ  Ｅｒｒｏｒ  Ｒａｔｅ、以下単にＢＥＲと呼ぶ）値を算出し、このＢＥＲ値を用いて光ディスク１に記録した初期の記録品質を評価する。そして、得られたＢＥＲ値をコントロール回路１０に出力する。コントロール回路１０は、このＢＥＲ値を用いてＯＰＣ（Ｏｐｔｉｍｕｍ  Ｐｏｗｅｒ  Ｃｏｎｔｒｏｌ、以下単にＯＰＣと呼ぶ）と呼ばれる記録パワーの最適化、すなわち光源２ａの発光量の決定を行い、光源２ａの初期発光量をサーボ制御回路８に設定し、光源２ａが発光するレーザ光の初期発光量を調整する。
する。
【００２２】
一方、β検出回路９は、送られてきたＲＦ信号からβ値を算出し、このβ値を用いて光ディスク１に記録した記録品質を評価する。そして、得られたβ値をコントロール回路１０に出力する。ここで、β値は、本実施の形態１における記録品質評価値である。また、β値は、ＲＦ信号のＡＣ基準電圧に対するプラス側ピークレベルをＡ１、ＲＦ信号のＡＣ基準電圧に対するマイナス側ピークレベルをＡ２とすると、
β＝（Ａ１＋Ａ２）／（Ａ１−Ａ２）  ・・・  （数式１）
で定義される。すなわち、（Ａ１＋Ａ２）はＲＦ信号のプラス側の振幅とマイナス側の振幅との差、（Ａ１−Ａ２）は振幅であり、基準に対してＲＦ振幅全体がどの程度ずれているかを比率％で表すものである。
【００２３】
コントロール回路１０は、ＢＥＲ測定回路１２で得られたＢＥＲ値を基に光源２ａの初期発光量を決定した後、β検出回路９でβ値を算出し、そのβ値を初期記録品質評価値とする。
【００２４】
フィード部はフィードモータ、ギヤ、スクリューシャフト等から構成され、フィードモータを回転させることによってトラバースメカ５が移動し、その際フィードモータよりフィードモータパルスが周期的に出力されるようになっている。
【００２５】
記録信号回路７は、光ディスク装置に入力されるデータを光ディスク１に記録できるデータに置き換えると共に、光ディスク１にデータを記録する際の光源２ａの発光量と発光パターンとを決定する。
【００２６】
メモリ１３は、所定の記録単位を記録する度に記録品質評価値を算出する際の所定の記録単位と、β値を一定量変化させるのに必要な光源２ａの光量変化量とを記憶し、コントロール回路１０の要求に応じて、それらの情報をコントロール回路１０に出力する。
【００２７】
コントロール回路１０は、光ディスク１に記録開始後、所定の記録単位を記録する度にβ値すなわち記録品質評価値を算出し、所定の記録単位を記録する度に算出した記録品質評価値が、初期記録品質評価値と同一になるように光源２ａの発光量を変更する。
【００２８】
また、コントロール回路１０は本発明の制御手段を構成し、レーザパワーコントロール回路６、記録信号回路７、サーボ制御回路８、β検出回路９、サーボ制御信号生成回路１１、ＢＥＲ測定回路１２、メモリ１３の各部から送られる信号が入力され、これらの信号の演算処理等を行い、この演算処理の結果（信号）を各部に送出し、各部にて駆動、処理を実行させ、各部の制御を行うものである。
【００２９】
ここで、本発明における光ディスク装置の信号の流れについて説明する。
【００３０】
本発明の光ディスク装置の記録時における信号の流れは、コントロール回路１０の記録指令に基づき、サーボ制御回路８を介して光ピックアップ２を動作させ、光ディスク１にデータの記録を行う。また、本発明の光ディスク装置の再生時における信号の流れは、光ディスク１に記録されたデータを光ピックアップ２で読み取り、ＲＦ再生信号生成回路３、β検出回路９を介して、コントロール回路１０が光源２ａの発光量を変更するのに必要な情報を入手する。そのため、記録と再生を繰り返し行うことで光源２ａの発光量を最適化する本発明の光ディスク装置では、上述の信号の流れが繰り返し行われることで光源２ａの発光量を最適化する。
【００３１】
次に、光源２ａの初期発光量を決定する方法について説明する。
【００３２】
図２は、本発明の実施の形態１における光源の発光量を決定する方法を示す図である。図２において、横軸は光源の発光量、縦軸はＢＥＲ値である。
【００３３】
光源２ａの発光量を変化させながらＢＥＲ値を測定すると、光源２ａの発光量の変化に合わせてＢＥＲ値も変化する。ＢＥＲ値は、エラーレートであるため、その値が小さいほど記録品質が良いと判断できる。
【００３４】
本実施の形態１では、コントロール回路１０がレーザパワーコントロール回路６を駆動して、光ディスク１の最内周領域に位置するＯＰＣ領域で、光源２ａの発光量を小さい方から大きい方に順次変化させ、それぞれの発光量に対応するＢＥＲ値を求める。そして、それぞれの発光量に対応するＢＥＲ値の中から、ＢＥＲ値が最小になる光源２ａの発光量を求め、この発光量を光源２ａの初期発光量とする。
【００３５】
次に、本発明の特徴部分である、光源の初期発光量を決定した後、その初期発光量を用いて記録品質評価値を算出し、その記録品質評価値を初期記録品質評価値とすることについて説明する。
【００３６】
図３は、本発明の実施の形態１における光ディスクの記録位置と光源の発光量と記録品質評価値との関係を示す図であり、ＯＰＣ直後の記録開始アドレス，記録開始アドレス＋１００００ｈ，記録開始アドレス＋２００００ｈ，記録開始アドレス＋３００００ｈ，記録開始アドレス＋４００００ｈのそれぞれの状況における光源の発光量と記録品質評価値との関係を示したものである。なお、本実施の形態１における記録品質評価値はβ値である。
【００３７】
コントロール回路１０は、光源２ａの初期発光量を決定すると、その初期発光量に基づいてβ値すなわち記録品質評価値を算出する。図３の場合、光源２ａの初期発光量は、調整前の光源の発光量に示すように３０ｍＷである。次に、この発光量３０ｍＷを用いてβ値を求め、ここで求めたβ値を初期記録品質評価値とする。図３の場合、β値は０％となり、このβ値を以降の目標値に設定する。
【００３８】
次に、光ディスク１に記録開始後、所定の記録単位を記録する度に記録品質評価値を算出して、所定の記録単位を記録する度に算出した記録品質評価値が、初期記録品質評価値と同一になるように前記光源の発光量を変更することについて、引き続き図３を用いて説明する。
【００３９】
コントロール回路１０は、初期記録品質評価値を決定後、光ディスク１に記録を開始する。このとき、光源２ａの発光量は、ＯＰＣで決定した３０ｍＷ、すなわちＯＰＣ直後の発光量である。
【００４０】
コントロール回路１０は、記録開始後１００００ｈの記録、すなわち所定の記録単位を記録する間、光源２ａの発光量をＯＰＣで決定した３０ｍＷに維持する。そして、記録開始後１００００ｈの記録が終了すると、そこで、記録品質評価値であるβ値を算出する。図３の場合、記録開始アドレス＋１００００ｈまでの光源２ａの発光量は３０ｍＷであり、このときのβ値は−１％である。ここで、β値の制御目標値は０％であるため、光源２ａの発光量を変化させてβ値が０％になるように調整する。β値を一定量変化させるのに必要な光源２ａの光量は、予めメモリ１３に記憶させているので、この記憶させている情報を用いてβ値の調整を行う。図３の場合、調整後の光源２ａの発光量とβ値は、それぞれ３０．３ｍＷ、０％である。
【００４１】
コントロール回路１０は、記録開始アドレス＋１００００ｈを記録した後、さらに＋１００００ｈの記録する間、光源２ａの発光量を記録開始アドレス＋１００００ｈで調整した３０．３ｍＷに維持する。そして、記録開始後＋２００００ｈの記録が終了すると、そこで記録品質評価値であるβ値を算出する。図３の場合、記録開始アドレス＋２００００ｈまでの光源２ａの発光量は３０．３ｍＷであり、このときのβ値は−１％である。ここで、β値の制御目標値は０％であるため、光源２ａの発光量を変化させてβ値が０％になるように調整する。β値を一定量変化させるのに必要な光源２ａの光量は、予めメモリ１３に記憶させているので、この記憶させている情報を用いてβ値の調整を行う。図３の場合、調整後の光源２ａの発光量とβ値は、それぞれ３０．６ｍＷ、０％である。
【００４２】
コントロール回路１０は、記録開始アドレス＋２００００ｈを記録した後、さらに＋１００００ｈの記録をする間、光源２ａの発光量を記録開始アドレス＋２００００ｈで調整した３０．６ｍＷに維持する。そして、記録開始後＋３００００ｈの記録が終了すると、そこで、記録品質評価値であるβ値を算出する。図３の場合、記録開始アドレス＋３００００ｈまでの光源２ａの発光量は３０．６ｍＷであり、このときのβ値は０％である。ここで、β値の制御目標値は０％であるため、光源２ａの発光量を変化させる必要がない。また、図３の場合、調整後の光源２ａの発光量とβ値は、調整前の光源２ａの発光量とβ値と同様に、それぞれ３０．６ｍＷ、０％である。
【００４３】
コントロール回路１０は、記録開始アドレス＋３００００ｈを記録した後、さらに＋１００００ｈの記録をする間、光源２ａの発光量を記録開始アドレス＋３００００ｈで調整した３０．６ｍＷに維持する。そして、記録開始後＋４００００ｈの記録が終了すると、そこで、記録品質評価値であるβ値を算出する。ここで、β値の制御目標値は０％であるため、光源２ａの発光量を変化させてβ値が０％になるように調整する。β値を一定量変化させるのに必要な光源２ａの光量は、予めメモリ１３に記憶させているので、この記憶させている情報を用いてβ値の調整を行う。図３の場合、調整後の光源２ａの発光量とβ値は、それぞれ３１．２ｍＷ、０％である。
【００４４】
このように、光ディスク２に記録開始後、所定の記録単位を記録する度に記録品質評価値を算出して、所定の記録単位を記録する度に算出した記録品質評価値が、初期記録品質評価値と同一になるように光源２ａの発光量を変更することを繰り返す。
【００４５】
なお、本実施の形態１では、所定の記録単位を１００００ｈ（ヘキサ）としたが、これに限定されるものではない。
【００４６】
次に、光ディスクにデータを追記する際の光源の発光量変さらについて説明する。
【００４７】
図４は、本発明の実施の形態１における光ディスクの記録位置と光源の発光量の関係を示す図である。図４（ａ）は光ディスクを示す図であり、図４（ｂ）は光ディスクの記録位置と光源の発光量の関係を示す図である。図４（ａ）は光ディスクの斜視図と断面図を示し、図４（ｂ）の横軸は光ディスクの記録位置、縦軸は光源の発光量を示している。図４において、Ｒは光ディスクの記録領域における最内周位置から最外周位置までの距離、Ｒｗは光ディスクの記録領域における最内周位置からデータを追記する位置までの距離である。なお、本実施の形態１における既記録位置検出手段、追記位置検出手段は、いずれもコントロール回路１０に相当する。
【００４８】
コントロール回路１０は、光ディスク装置に光ディスク１が装着された場合、その装着された光ディスク１のディスク判別をする際に、併せて光ディスク１の記録状況、すなわち光ディスクに既にデータが記録されている既記録領域に関する情報を検出する。その後、その情報を基に光ディスク１にデータを追記する際の位置を決定する。
【００４９】
その後、コントロール回路１０は、レーザパワーコントロール回路６を複数の駆動値で駆動して、光ディスク１の最内周領域に位置するＯＰＣ領域で、光源２ａの発光量を小さい方から大きい方に順次変化させ、それぞれの発光量に対応するＢＥＲ値を求める。そして、それぞれの発光量に対応するＢＥＲ値の中から、ＢＥＲ値が最小になる光源２ａの発光量を求め、この発光量を光ディスク１の最内周領域に位置するＯＰＣ領域での初期発光量として第１発光量Ｐ＿ｉｎとする。
【００５０】
また、コントロール回路１０は、レーザパワーコントロール回路６を複数の駆動値で駆動して、光ディスク１の最外周領域に位置するＯＰＣ領域で、光源２ａの発光量を小さい方から大きい方に順次変化させ、それぞれの発光量に対応するＢＥＲ値を求める。そして、それぞれの発光量に対応するＢＥＲ値の中から、ＢＥＲ値が最小になる光源２ａの発光量を求め、この発光量を光ディスク１の最外周領域に位置するＯＰＣ領域での初期発光量として第２発光量Ｐ＿ｏｕｔとする。
【００５１】
コントロール回路１０は、光源２ａの第１発光量Ｐ＿ｉｎと第２発光量Ｐ＿ｏｕｔを決定すると、次に光ディスク１にデータを追記する位置に対応する第３発光量Ｐｍを算出する。
【００５２】
光ディスク１の記録領域における最内周位置から最外周位置までの距離をＲ、光ディスク１の記録領域における最内周位置からデータを追記する位置までの距離Ｒｗとすると、データを追記する位置に対応する第３発光量Ｐｍは以下の式で表すことができる。
【００５３】
Ｐｍ＝（Ｐ＿ｏｕｔ−Ｐ＿ｉｎ）×Ｒｗ／Ｒ  ・・・  （数式２）
ここで、第３発光量Ｐｍは、光ディスク１にデータを追記する位置に対応する初期発光量に相当する。そのため、コントロール回路１０は、第３発光量Ｐｍを光源２ａの初期発光量とし、光源２ａの第１発光量Ｐ＿ｉｎに基づくβ値を初期記録品質評価値に設定して、図３に示す方法で、光ディスク１に記録開始後、所定の記録単位を記録する度に記録品質評価値を算出して、所定の記録単位を記録する度に算出した記録品質評価値が、初期記録品質評価値と同一になるように光源２ａの発光量を変更する。これにより、光ディスク１の記録領域毎に異なる光源２ａの初期発光量を容易に算出でき、その初期発光量から得られる記録品質評価値を用いるので、追記する領域に対応する光源２ａの発光量を正確に決定できる。
【００５４】
次に、光源の発光量変更の流れについて説明する。
【００５５】
図５は、本発明の実施の形態１における光源の発光量変更方法を示すフローチャートである。
【００５６】
光ディスク１が光ディスク装置に装着されると、スピンドルモータ４を回転させ、光源２ａを発光させ、フォーカスサーボ、トラッキングサーボをかけ、ＯＰＣと呼ばれる記録パワーの最適化処理を行い、光源２ａの初期発光量を決定する（Ｓ１）。光源２ａの初期発光量の決定は、コントロール回路１０がサーボ制御回路８、トラバースメカ５を介して光ピックアップ２を光ディスク１の最内周領域に位置するＯＰＣ領域に移動させる。そして、レーザパワーコントロール回路６を駆動して、光ディスク１の最内周領域に位置するＯＰＣ領域で光源２ａの発光量を小さい方から大きい方に順次変化させて一定量の記録を順次行う。次に、コントロール回路１０は、光ピックアップ２、ＲＦ再生信号生成回路３、ＢＥＲ測定回路１２を介して光ディスク１のＯＰＣ領域に記録された一定量の記録を順次再生し、光ピックアップ２から得られる反射光を基にＲＦ再生信号生成回路３でそれぞれＲＦ信号を生成し、それらのＲＦ信号を基にＢＥＲ測定回路１２でそれぞれの光源２ａの発光量に対応するＢＥＲ値を求める。そして、それぞれの発光量に対応するＢＥＲ値の中から、ＢＥＲ値が最小になる光源２ａの発光量を求め、この発光量を光源２ａの初期発光量とする。
【００５７】
光源２ａの初期発光量を決定すると、コントロール回路１０は、既に求めている光源２ａの初期発光量に対応する駆動値でレーザパワーコントロール回路６を駆動して、光ピックアップ２を介して一定量の記録を行う。そして、光ピックアップ２、ＲＦ再生信号生成回路３、β検出回路９を介してβ値を算出する。すなわち、初期発光量を用いて初期記録品質評価値であるβ値を算出する（Ｓ２）。
【００５８】
初期発光量を用いてβ値を算出すると、コントロール回路１０は、既に求めている光源２ａの初期発光量に対応する駆動値でレーザパワーコントロール回路６を駆動して、光ピックアップ２を介して光ディスク１に記録を開始する（Ｓ３）。
【００５９】
光ディスク１に記録を開始すると、コントロール回路１０は、光ディスク１に記録したデータ量をモニタしながら、記録開始後、所定の記録単位を記録するまでは記録動作を継続する（Ｓ４）。また、記録開始後、所定の記録単位を記録した場合には、コントロール回路１０は、記録したデータのうち最後に記録した所定量のデータを光ピックアップ２、ＲＦ再生信号生成回路３、β検出回路９を介して、記録品質評価値であるβ値を算出する（Ｓ５）。
【００６０】
β値を算出すると、コントロール回路１０は、Ｓ５で算出したβ値とＳ２で算出したβ値とを比較する（Ｓ６）。Ｓ５で算出したβ値がＳ２で算出したβ値と同一の場合、光源２ａの発光量は、Ｓ５で算出したβ値とＳ２で算出したβ値とを比較する前までの発光量を用いて記録を継続する。その後Ｓ４〜Ｓ８のルーチンを繰り返す。ここで、記録が必要な残りのデータが所定の記録単位未満の場合（Ｓ８）、記録が必要な残りのデータを記録して終了する（Ｓ９）。
【００６１】
また、Ｓ５で算出したβ値がＳ２で算出したβ値と同一でない場合、Ｓ５で算出したβ値がＳ２で算出したβ値と同一になるようにレーザパワーコントロール回路６を駆動して光源２ａの発光量を調整する（Ｓ７）。このとき、β値を一定量変化させるのに必要な光源２ａの光量は、予めメモリ１３に記憶させているので、コントロール回路１０は、この記憶させている情報を用いてβ値の調整を行う。その後Ｓ４〜Ｓ８のルーチンを繰り返す。ここで、記録が必要な残りのデータが所定の記録単位未満の場合（Ｓ８）、記録が必要な残りのデータを記録して終了する（Ｓ９）。
【００６２】
なお、光ディスクにデータを追記する場合、上記フローチャートのＳ２における初期記録品質評価値を、光ディスク１の最内周領域に位置するＯＰＣ領域に対応する光源２ａの発光量と、光ディスク１の最外周領域に位置するＯＰＣ領域に対応する光源２ａの発光量とから算出すると追記する領域に対応する発光量を正確に決定できる。すなわち、Ｓ２において、図４に示すように、光ディスク１の最内周領域に位置するＯＰＣ領域と最外周領域に位置するＯＰＣ領域とでＯＰＣを行い、それぞれの領域から光源２ａの第１発光量と第２発光量を決定する。その後、第１発光量と第２発光量とから光ディスク１にデータを追記する位置に対応する第３発光量を算出し、その第３発光量を光ディスク１にデータを追記する際の初期発光量とし、光源２ａの第１発光量Ｐ＿ｉｎに基づくβ値を初期記録品質評価値に設定する。これにより、光ディスク１の記録領域毎に異なる光源２ａの初期発光量を容易に算出できるので、追記する領域に対応する発光量をまた、本実施の形態１のように、記録品質評価値をβ値とすることにより、光ディスク装置を長時間使い続けて装置内部の温度が上昇する場合であっても、その温度上昇によって生じる構成素子の特性変化の影響を精度良く考慮して光源の発光量を制御するので、光ディスク１にデータを記録し続ける際、温度上昇の影響を記録品質に受けさせない。
【００６３】
以上の内容により、光ディスク装置を長時間使い続けて装置内部の温度が上昇する場合であっても、その温度上昇によって生じる構成素子の特性変化の影響を考慮して光源２ａの発光量を制御するので、光ディスク１にデータを記録し続ける際、温度上昇の影響を記録品質に受けさせない。その結果、光ディスク装置を起動した直後の記録品質を維持し続けることができる光ディスク装置およびその制御方法を実現できる。正確に決定できる。
さらに、同一種類の光ディスクであっても必要な最適光量にばらつきがある場合、初期記録品質評価値を決定する際にそれらのばらつきが考慮されるので、同一種類の光ディスクのおける製造ロット間の相違による最適光量の相違にも対応できる。
【産業上の利用可能性】
【００６４】
本発明は、装置を起動した直後の記録品質を維持し続けることができるので、光ディスクに情報の記録を行う光ディスク装置などに適応可能である。
【図面の簡単な説明】
【００６５】
【図１】本発明の実施の形態１における記録パワー制御系のブロック図
【図２】本発明の実施の形態１における光源の発光量を決定する方法を示す図
【図３】本発明の実施の形態１における光ディスクの記録位置と光源の発光量と記録品質評価値との関係を示す図
【図４】本発明の実施の形態１における光ディスクの記録位置と光源の発光量の関係を示す図
【図５】本発明の実施の形態１における光源の発光量変更方法を示すフローチャート
【符号の説明】
【００６６】
１    光ディスク
２    光ピックアップ
２ａ    光源
２ｂ    対物レンズ
２ｃ    受光部
３    ＲＦ再生信号生成回路
４    スピンドルモータ
５    トラバースメカ
６    レーザパワーコントロール回路
７    記録信号回路
８    サーボ制御回路
９    β検出回路
１０    コントロール回路
１１    サーボ制御信号生成回路
１２    ＢＥＲ測定回路
１３    メモリ
１４    ピックアップモジュール
【図１】
2010102780.tif 000003
【図２】
2010102780.tif 000004
【図３】
2010102780.tif 000005
【図４】
2010102780.tif 000006
【図５】
2010102780.tif 000007